(57)【特許請求の範囲】
【請求項１】
平板状のフィルタ本体と、
第一の片及び前記第一の片と対向する第二の片を備えるよう折曲形成された紙枠とを備え、
前記紙枠の第一の片、第二の片、及び両者に挟まれる前記フィルタ本体の周縁部が縫合されたことを特徴とするフィルタユニット。
【請求項２】
平板状のフィルタ本体と、
第一の片及び前記第一の片と対向する第二の片を備えるよう折曲形成された紙枠とを備え、
前記紙枠の第一の片、第二の片、及び両者に挟まれる前記フィルタ本体の周縁部が縫合され、
前記紙枠は、前記フィルタ本体の厚さより長い側片及び前記側片と前記第一の片又は第二の片とを接続する接続片とを有することを特徴とするフィルタユニット。
【発明の詳細な説明】
【０００１】
【発明が属する技術分野】
本発明は、空気清浄機やエアコンディショナ等に交換可能に取り付けられるフィルタユニットに関するものである。
【０００２】
【従来の技術】
図６に従来のフィルタユニットの全体図を示す。同図に示すようにフィルタユニット５１は、方形で平板状のフィルタ本体５２、フィルタ本体５２の周縁部に全周に亘って取り付けられたビニルレザー５３を備え、ビニルレザー５３は後述する金属の芯材を包んで縫糸５４によりフィルタ本体５２に縫合されている。
【０００３】
図７は図６のＡ−Ａ断面図である。フィルタ本体５２は上側のポリエチレンネット５５ａ、下側のポリエチレンネット５５ｂ、及び両者に挟まれた活性炭付不織布５６から成る。ビニールレザー５２はフィルタユニット５１を挟んで周縁外側に空間をつくるよう縫糸５３によりフィルタ本体５１に縫合され、該空間には、フィルタユニット５１の形態を保持するための、アルミニウム等からなる金属の芯材５７が全周に亘って配設されている。
【０００４】
そしてこのようなフィルタユニット５１は、例えば図８に示すような空気清浄機６１の筐体６２に溶接等で取付られた一対の断面コ字状の支持金具６３に挿入される。このような空気清浄機６１の筐体６２の内部ではフィルタユニット５１を下向きに撓ませる方向の空気の流れが存在するが、芯材５６が空気の流れによるフィルタユニット５１の撓みを抑えている。なお、６６は電気集塵機、６４はモータ、６５はファンである。
【０００５】
【発明が解決しようとする課題】
空気清浄機やエアコンディショナ等に用いられるフィルタは消耗品であるから、ある程度の期間が経ったら新しいものと交換しなければならない。そしてその交換に伴って今まで使用していたものは廃棄物となる。しかるに従来のフィルタユニットは、形態保持手段として金属の芯材を用いていたので不燃ゴミとして処理せざるを得ず、環境負荷が大きいという問題点があった。
【０００６】
可燃ゴミとして処理できるようにしたものとして、例えば特開平５−２９３３２１のように紙材に樹脂を含浸させて形態を保持したものもあるが、焼却時の排ガスや余った樹脂の処理等の問題があって、依然環境負荷が小さくなったとは言えなかった。
【０００７】
また、樹脂の含浸ではなく紙材のみのものや紙材と少量の接着剤を用いたものがあるが、これらのものは、フィルタ本体の厚さが大きいもの（例えば５ｃｍ程度）や、フィルタ本体に形態保持の役割の一部を担わせたものであって、フィルタ本体が平板状で形態保持の役割を担わせられないものには適用できなかった。
【０００８】
本発明はこのような問題点に鑑み、平板状のフィルタ本体を有するフィルタユニットにおいて、金属や樹脂を用いずに形態保持力を持たせて環境負荷を大幅に低減することを目的としてなされたものである。
【０００９】
【課題を解決するための手段】
請求項１に記載の発明は、平板状のフィルタ本体と、第一の片及び前記第一の片と対向する第二の片を備えるよう折曲形成された紙枠とを備え、前記紙枠の第一の片、第二の片、及び両者に挟まれる前記フィルタ本体の周縁部が縫合されたことを特徴とするものである。
【００１０】
請求項２に記載の発明は、平板状のフィルタ本体と、第一の片及び前記第一の片と対向する第二の片を備えるよう折曲形成された紙枠とを備え、前記紙枠の第一の片、第二の片、及び両者に挟まれる前記フィルタ本体の周縁部が縫合され、前記紙枠は、前記フィルタ本体の厚さより長い側片及び前記側片と前記第一の片又は第二の片とを接続する接続片とを有することを特徴とするものである。
【００１１】
【発明の実施の形態】
以下図１及び図２を用いて本発明の実施の形態１について説明する。図１は実施の形態１の全体図を示すもので、フィルタユニット１は、方形で平板状のフィルタ本体２、フィルタ本体２の周縁部の全周に亘って取り付けられた紙枠３、紙枠３をフィルタ本体の周縁部に縫合する縫糸４からなる。
【００１２】
図２は図１のＢ−Ｂ断面図を示す。フィルタ本体２は同図に示すように上側からポリエチレンネット５ａ、活性炭付不織布６、下側のポリエチレンネット５ｂの順に重ねられた積層構造から成る。ここで脱臭等の空気清浄効果を持つのは活性炭付不織布６であり、ポリエチレンネット５ａ及び５ｂは活性炭付不織布６を保護するために設けられたものである。フィルタ本体２の厚さｄは例えば５ｍｍである。
【００１３】
フィルタ本体２の周縁部７には、周縁部下面７ａ、周縁部側面７ｂ、周縁部上面７ｃにそれぞれ対応した下片８ａ（第一の片）、側片８ｂ、上片８ｃ（第二の片）を有するよう断面コ字状に折曲形成された紙枠３がフィルタ本体２の周縁部７を両面から挟むように取り付けられている。この紙枠３は、例えば厚さ約１ｍｍの段ボール、又は０．５ｍｍの厚紙等からなり、外表面にはアルミ箔テープ９が貼られている。このアルミ箔テープ９を貼ることにより、湿気により紙枠３の強度が低下してしまうのを防ぐとともに、空気清浄機等の金属製の筐体に挿入したときの外観上の違和感をなくしている。なおこのアルミ箔テープ９に使われるアルミ箔は家庭用のアルミホイルよりも薄いようなもので、焼却しても少量の酸化アルミニウムの灰が生じるだけなので、環境負荷上はほとんど問題のないものである。
【００１４】
そしてこの紙枠３の下片８ａ、上片８ｃ、及び両者に挟まれるフィルタ本体２の周縁部７が上糸４ａ及び下糸４ｂからなる縫糸４によって縫合されている。上糸４ａ及び下糸４ｂはフィルタ本体２の内部で交差し互いに引っ張りあって、その引張力は下片８ａ及び上片８ｃをそれぞれ対向する方向からフィルタ本体２に押しつけるように働くとともに、フィルタ本体がその押し付けに抗している。これにより、上片及び下片が固定されて断面コ字状の形態が安定化される。上糸４ａ及び下糸４ｂの張力は、下片８ａ及び上片８ｃが拡開を制限可能であるとともに紙材料からなる下片８ａ及び上片８ｃがちぎれてしまわないような張力となっている。縫糸４の材料としては、ポリエステルや綿糸等が考えられるが、環境負荷の点からいうと、綿糸等の天然繊維が望ましい。なおこの縫合はミシン縫製によって行われる。
このような実施の形態１によれば、断面コ字状に折曲形成した紙枠３が、縫合により上片及び下片が固定されて自身の形態が安定化され、フィルタユニット１の形態保持手段として機能する。よって形態保持手段として金属材料や樹脂を用いる必要がないので、環境負荷を大幅に低減することができる。
【００１５】
以下図３及び図４を用いて本発明の実施の形態２について説明する。図３に実施の形態２の外観の一部を示す。実施の形態１と同様にフィルタユニット１１は、方形で平板状のフィルタ本体１２、フィルタ本体１２の周縁部の全周に亘って取り付けられた紙枠１３、紙枠１３をフィルタ本体の周縁部に縫合する縫糸１４からなる。
【００１６】
図４に図３のＣ−Ｃ断面図を示す。フィルタ本体１２は同図に示すように上側からポリエチレンネット１５ａ、活性炭付不織布１６、下側のポリエチレンネット１５ｂの順に重ねられた積層構造から成る。ここで脱臭等の空気清浄効果を持つのは活性炭付不織布１６であり、ポリエチレンネット１５ａ及び１５ｂは活性炭付不織布１６を保護するために設けられたものである。フィルタ本体１２の厚さｄは例えば５ｍｍである。
【００１７】
フィルタ本体１２の周縁部１７には、周縁部下面１７ａに対応する下片１８ａ、周縁部側面１７ｂに対応して下片１８ａの周縁端より上方に延伸しフィルタ本体１２の厚さｄの略２倍の長さの側片１８ｂ、側片１８ｂの上端から周縁部上面１７ｃに向かって斜め方向に延伸し側片１８ｂと後述する上片１８ｄを接続する接続片１８ｃ、及び接続片１８ｃがフィルタ本体１２の周縁部上面１７ｃに接した点より周縁部上面１７ｃに沿って内側に延伸する上片１８ｄを有するよう折曲形成された紙枠１３がフィルタ本体１２の周縁部１６を両面から挟むように取り付けられている。この紙枠１３は、例えば厚さ約１ｍｍの段ボール、又は０．５ｍｍの厚紙等からなる。
【００１８】
そしてこの紙枠１３の下片１８ａ、上片１８ｄ、及び両者に挟まれるフィルタ本体１２の周縁部１７が上糸１４ａ及び下糸１４ｂからなる縫糸１４によって縫合されている。
【００１９】
このような実施の形態２によれば、折曲形成した紙枠１３が、縫合により上片及び下片が固定されて、自身の形態が安定化され、フィルタユニット１の形態保持手段として機能する。またそれに加えて、フィルタ本体１２の厚さｄより長い側片１８ｂと接続片１８ｃとの三角構造の形態が安定化され、実施の形態１よりも強度の高い形態保持手段として機能する。よって形態保持手段として金属材料や樹脂を用いる必要がないので、環境負荷を大幅に低減することができる。
【００２０】
以下図５を用いて本発明の実施の形態３について説明する。実施の形態３は実施の形態２と同様のフィルタユニットに補強材２１を組み込んだものである。補強材２１は紙枠１３と同じく折曲形成されたボール紙や厚紙等から成り、紙枠１３の側片１３ｂの内側に接面する側片補強片２１ａ、及び接続片１３ｃの内側に接面する接続片補強片２１ｂを有している。
【００２１】
このような実施の形態３によれば、実施の形態２と同様の効果を備えるとともに、必要に応じて強度の調節を行うことができる。
【００２２】
本発明は、ここで例として挙げた各実施の形態に限定されるものではなく、側片がフィルタ本体の面に対して傾斜し接続片が垂直なものであってもよい。また断面コ字状の紙枠のものに補強片を適用してもよい。また、紙枠がフィルタ本体の全周ではなく、対向する２辺に設けられるようなものでもよい。
【００２３】
【発明の効果】
請求項１に記載の発明によれば、平板状のフィルタ本体と、第一の片及び前記第一の片と対向する第二の片を備えるよう折曲形成された紙枠とを備え、前記紙枠の第一の片、第二の片、及び両者に挟まれる前記フィルタ本体の周縁部が縫合されるようにしたので、紙枠は縫合により第一の片及び第二の片が固定されて自身の形態が安定化されてフィルタユニットの形態保持手段として機能し、形態保持手段として金属材料や樹脂を用いる必要がないので、環境負荷を大幅に低減することができる。
【００２４】
請求項２に記載の発明によれば、平板状のフィルタ本体と、第一の片及び前記第一の片と対向する第二の片を備えるよう折曲形成された紙枠とを備え、前記紙枠の第一の片、第二の片、及び両者に挟まれる前記フィルタ本体の周縁部が縫合され、前記紙枠は、前記フィルタ本体の厚さより長い側片及び前記側片と前記第一の片又は第二の片とを接続する接続片とを有するようにしたので、紙枠が縫合により第一の片及び第二の片が固定されて自身の形態が安定化されフィルタユニット１の形態保持手段として機能する。それに加えてフィルタ本体の幅より長い側片と接続片との三角構造の形態が安定化され強度の高い形態保持手段として機能する。よって形態保持手段として金属材料や樹脂を用いる必要がないので、環境負荷を大幅に低減することができる。
【図面の簡単な説明】
【図１】本発明の実施の形態１の全体図である。
【図２】図１のＢ−Ｂ断面図である。
【図３】本発明の実施の形態２の外観の一部を示す図である。
【図４】図２のＣ−Ｃ断面図である。
【図５】本発明の実施の形態３の断面図である。
【図６】従来のフィルタユニットの全体図である。
【図７】図６のＡ−Ａ断面図である。
【図８】フィルタユニットを空気清浄機に取り付けた状態を示す図である。
【符号の説明】
１      フィルタユニット
２      フィルタ本体
３      紙枠
４      縫糸
７      周縁部
７ａ    周縁部下面
７ｂ    周縁部側面
７ｃ    周縁部上面
８ａ    下片
８ｂ    側片
８ｃ    上片
１１    フィルタユニット
１２    フィルタ本体
１３    紙枠
１４    縫糸
１７    周縁部
１７ａ  周縁部下面
１７ｂ  周縁部側面
１７ｃ  周縁部上面
１８ａ  下片
１８ｂ  側片
１８ｃ  接続片
１８ｄ  上片
【図１】
0003663466.tif 000002
【図２】
0003663466.tif 000003
【図３】
0003663466.tif 000004
【図４】
0003663466.tif 000005
【図５】
0003663466.tif 000006
【図６】
0003663466.tif 000007
【図７】
0003663466.tif 000008
【図８】
0003663466.tif 000009